(57)【要約】【課題】パチンコ釘の金属疲労による折損を抑える。【解決手段】パチンコ機パネル６に打設した釘１の軸部２にパネル６の表面から臨出し且つ該パネルの肉厚に侵入する範囲で補強部４が形成され、補強部４の外径は、該補強部より頭部２側の軸径よりも大であり、釘１がパネル６に設定深さに打ち込まれた状態で該補強部４のパネル表面からの臨出高さは、パネル表面を移動する弾球７が補強部４に干渉不可能な臨出高さ及び太さである。釘１の補強部４は、釘１に弾球７が衝突したときに応力が集中するパネル６表面と交叉する部分に形成されているから、金属疲労に対する耐久性が増す。従って、釘１の折損を抑えて寿命を延ばすことができる。【選択図】図１
2009247816.tif 000002
【特許請求の範囲】
【請求項１】
釘軸部(３)の一端に頭部(２）、他端に尖り部(10)を具え、頭部(２)側に弾球当り部(31)、該弾球当り部(31)と尖り部(10)との間には、釘軸部(３)が弾球遊技機パネル(６)に入り込む境界領域にわたって、弾球当り部(31)の直径よりも外形寸法を大きくし断面係数を増した補強部(４)が形成されている、弾球遊技機用の釘。
【請求項２】
釘(１)がパネル(６)に設定深さまで打ち込まれた状態で補強部(４)のパネル表面からの臨出高さｈ及び太さは、パネル表面を移動する弾球(７)が補強部(４)に当たらない範囲内である、請求項１に記載の弾球遊技機用の釘。
【請求項３】
補強部(４)は、釘軸部(３)を部分的に転造して形成されている、請求項１又は２に記載の弾球遊技機用の釘。
【請求項４】
補強部(４)は、釘(１)の軸芯に沿う方向に延びる凸条(41)と凹条(42)を周方向に交互に設けて形成されている、請求項１乃至３の何れかに記載の弾球遊技機用の釘。
【請求項５】
補強部(４)は螺旋状に膨らみ条(43)を施して形成されている、請求項１乃至３の何れかに記載の弾球遊技機用の釘。
【請求項６】
パネル(６)に打設した釘列によって弾球(７)の通路を形成している弾球遊技機において、全ての釘或いは一部の釘は、釘軸部(３)の一端に頭部(２）、他端に尖り部(10)を具え、頭部(２)側に弾球当り部(31)、該弾球当り部(31)と尖り部(10)との間には、釘軸部(３)が弾球遊技機パネル(６)に入り込む境界領域にわたって、弾球当り部(31)の直径よりも外形寸法を大きくし断面係数を増した補強部(４)が形成されている、弾球遊技機。
【請求項７】
パネル(６)は、パネル本体(61)の釘打込み側の面に緩衝層(62)を具えており、釘(１)の補強部(４)は該緩衝層(62)に食い込んでいる、請求項６に記載の弾球遊技機。
【発明の詳細な説明】
【技術分野】
【０００１】
本発明は、パチンコ機、スマートボール機等の弾球遊技機及び該弾球遊技機に用いる釘に関するものである。
【背景技術】
【０００２】
近時のパチンコ機は、弾球の発射速度が速くなったこと、ゲーム図柄表示部の大型化に伴う釘本数の減少により、釘に対する負荷が大きくなっている。
【発明の開示】
【発明が解決しようとする課題】
【０００３】
そのために、高稼動率の機種では、釘が金属疲労を起こして折損するトラブルが多くなっている。
折損箇所は、釘軸部がパネル表面に入り込む境界部分にほぼ限られ、これは釘軸部に最も応力が集中する部分であるからによる。
本発明は、釘軸部がパネル表面に入り込む境界部分を含み且つ弾球に当たらない範囲で釘軸部に補強部を設けることにより、折損を抑えることのできる釘、及び該釘を用いた弾球遊技機を明らかにするものである。
【課題を解決するための手段】
【０００４】
請求項１の弾球遊技機用の釘(１)は、釘軸部(３)の一端に頭部(２）、他端に尖り部(10)を具え、頭部(２)側に弾球当り部(31)、該弾球当り部(31)と尖り部(10)との間には、釘軸部(３)が弾球遊技機パネル(６)に入り込む境界領域にわたって、弾球当り部(31)の直径よりも外形寸法を大きくし断面係数を増した補強部(４)が形成されている。
【０００５】
請求項２は、請求項１の釘において、釘(１)がパネル(６)に設定深さまで打ち込まれた状態で該補強部(４)のパネル表面からの臨出高さｈ及び補強部(４)の太さは、パネル表面を移動する弾球(７)が補強部(４)に当たらない範囲内である。
【０００６】
請求項３は、請求項１又は２の釘において、補強部(４)は、釘軸部(３)を部分的に転造して形成されている。
【０００７】
請求項４は、請求項１乃至３の釘において、補強部(４)は、釘(１)の軸芯に沿う方向に延びる凹条(41)と凸条(42)を周方向に交互に設けて形成されている。
【０００８】
請求項５は請求項１乃至３の釘において、補強部(４)は螺旋状に膨らみ条(51)を施して形成されている。
【０００９】
請求項６は、パネル(６)に打設した釘列によって弾球(７)の通路を形成している弾球遊技機において、全ての釘或いは一部の釘は、釘軸部(３)の一端に頭部(２）、他端に尖り部(10)を具え、頭部(２)側に弾球当り部(31)、該弾球当り部(31)と尖り部(10)との間には、釘軸部(３)が弾球遊技機パネル(６)に入り込む境界領域にわたって、弾球当り部(31)の直径よりも外形寸法を大きくし断面係数を増した補強部(４)が形成されている。
【００１０】
請求項７は請求項６の弾球遊技機において、パネル(６)は、パネル本体(61)の釘打込み側の面に緩衝層(62)を具えており、釘(１)の補強部(４)は該緩衝層(62)に食い込んでいる。
【発明の効果】
【００１１】
請求項１の釘(１)は、釘に弾球(７)が衝突したとき応力が集中する、パネル(６)表面と交叉する境界部分に大径の補強部(４)が形成されているから、釘(１)に繰り返し弾球(７)が衝突して金属疲労を起こすことに対する耐久性が増す。従って、釘(１)の折損を抑えて寿命を延ばすことができる。
弾球(７)は、釘(１)の弾球当り部(31)には当たって、該弾球当り部(31)より太い補強部(４)には当たらないから、球筋が予測外に変化することを防止できる。
【００１２】
請求項２の釘(１)は、請求項１と同じ効果を有する。
【００１３】
請求項３の釘(１)の補強部(４)は、釘軸部(３)を部分的に転造して大径に形成するから、鍛流線は切れずに補強部の形状に沿って存在し、補強部(４)の耐久性の向上に一層寄与する。
【００１４】
請求項４の釘(１)の補強部(４)は、釘(１)の軸芯に沿う方向に延びる凸条(42)が、釘(１)に対する曲げ力の抵抗となるリブの役割を成し、補強部(４)の耐久性の向上に一層寄与する。
【００１５】
請求項５の釘(１)は、螺旋状に膨らんでいる部分が、釘(１)に対する曲げ力の抵抗となるリブの役割を成し、補強部(４)の耐久性の向上に一層寄与する。
【００１６】
請求項６の弾球遊技機の効果は、請求項１の効果と同様である。
【００１７】
請求項７の弾球遊技機のパネル(６)は、パネル本体(61)の釘打込み側の面に緩衝層(62)を有し、釘(１)の補強部(４)は該緩衝層(62)に食い込んでいるから、釘(１)の弾球(７)が衝突した際の衝撃を緩衝層(62)が和らげて、金属疲労の限界を遅らせることができ、釘(１)の寿命延長に一層効果的である。
【発明を実施するための最良の形態】
【００１８】
実施例の弾球遊技機は、パチンコ機であって、図１はパチンコ機のパネル(６)と、該パネル上に弾球(７)の通路を形成するために打ち込まれた釘列の内の１本の釘(１)を示し、他の釘は省略している。
【００１９】
弾球(７)は、直径１１mmの鋼球である。
【００２０】
パネル(６)は全厚が約１８mmであって、パネル全厚の２／３程度を占めるパネル本体(61)と、該パネル本体の釘込み側面に形成された緩衝層(62)と、該緩衝層に貼着された化粧シート(63)とからなる。
【００２１】
パネル本体(61)は、パチンコ機のパネルに要求される硬さと、釘(１)に対する保持力を満たせば、木材、紙材、樹脂材等、材質は問わない。
【００２２】
緩衝層(62)は厚み２乃至５mmであり、コルクボード、圧縮サイザル麻ボード、合成樹脂板、ゴム板等の緩衝材をパネル本体(61)に貼着して形成されている。
緩衝層(62)は、手指で押しても容易に凹むことのない硬さを有しているが、パネル本体(61)よりも軟質であり、弾球(７)が釘(１)に衝突した際に、パネル(６)表面と釘(１)が交叉する境界領域にて釘(１)の振れを微少ながら許容して、当該箇所で釘(１)に応力が集中することを軽減する。
【００２３】
化粧シート(63)は、装飾図柄が印刷され、上記緩衝層(62)の緩衝効果を損なわない可撓性を有する樹脂製のシートである。
【００２４】
釘(１)は真鍮若しくは同等の硬さを有する金属製であり、頭部(２)に連続する軸部(３)の先端に尖り部(10)を有している。
釘(１)の全長は約３３mmで、パネル(６)に予め施された貫通下孔(64)に、釘先端から１７mm程度の深さで打ち込まれている。
【００２５】
釘(１)の軸部(３)は一様太さではなく、頭部(２)に連続して細径の弾球当り部(31)、略中央部に弾球当り部(31)より僅か大径の補強部(４)、更に尖り部(10)に接近して補強部(４)と略同径の抜止め部(５)が形成されている。
実施例では、抜止め部(５)の外径及び補強部(４)の外径は２mmである。尖り部(10)を除き弾球当り部(31)を含むその他の部分の外径は１.８５mmであり、これは従前のパチンコ機用の釘の太さと同じである。
【００２６】
抜止め部(５)は、釘(１)の先端尖り部(10)に連続しており、螺旋状に膨らみ条(51)を施して形成されている。
抜止め部(５)は、その膨らみ条(51)が下孔(64)にきつく食い込むことにより、釘(１)を抜け難くする役割を成す。
【００２７】
補強部(４)は、図１に示す様に、釘(１)がパネル(６)に規定深さに打ち込まれた状態において、パネル(６)表面から臨出し且つ該パネルの緩衝層(62)に侵入する範囲に形成される。
補強部(４)のパネル表面からの臨出高さｈは、パネル表面を移動する弾球(７)の半径より小さく、弾球(７)が補強部(４)に当たらない臨出高さである。
実施例では、補強部(４)の全長は約５mm、補強部(４)のパネル表面からの臨出高さｈは約２.５mmである。
実施例の補強部(４)は、釘(１)の軸芯に沿う方向に延びる凸条(41)と凹条(42)を周方向に等間隔に交互に設けて形成されている。
【００２８】
上記補強部(４)及び前記抜止め部(５)は、釘(１)の軸部(３)を部分的に転造して、外形寸法を大きくし断面係数を増している。
【００２９】
然して、釘(１)には、弾球(７)が衝突したときに応力が集中する、釘軸部(３)のパネル(６)表面との交叉する部分に外径寸法の大きい補強部(４)が形成されているから、釘(１)に繰り返し弾球(７)が衝突して金属疲労を起こすことに対する耐久性が増す。従って、釘(１)の折損を抑えて寿命を延ばすことができる。
補強部(４)は、パネル(６)の表面上の弾球(７)が当たらない範囲に形成されているから、弾球(７)が補強部(４)に当たって、球筋が予測外に変化することを防止できる。
【００３０】
尚、仮に釘(１)の軸部(３)全体を補強部(４)の外径寸法と同じ太い直径にし、釘(１)の金属疲労に対する耐久性を向上させることも考えられるが、パネル(６)上に弾球(７)の通路をデザインする際、弾球(７)がどの釘に当たって、どの様に軌道が変化するのかは、膨大なデータによってシュミレーションして決定されている。そのデータには釘の太さも非常に大きな要素して含まれているから、釘の太さを変えることは、データを作り直すことを意味し、対応に大きなコストが伴い、実施は難しい。
実施例の場合、釘(１)の弾球(７)が当たる弾球当り部(31)の太さは従前のままであり、球筋のシュミレーションに大きな問題は生じない。
【００３１】
補強部(４)は、釘軸部(３)を部分的に転造して大径に形成するから、鍛流線は切れずに補強部の形状に沿って存在し、補強部(４)の耐久性の向上に一層寄与する。
【００３２】
補強部(４)は、釘(１)の軸芯に沿う方向に延びる凸条(42)が、釘(１)に対する曲げ力の抵抗となるリブの役割を成し、耐久性は一層向上する。
【００３３】
パネル(６)は、パネル本体(61)の釘打込み側の面に緩衝層(62)を有し、釘(１)の補強部(４)は該緩衝層(62)に食い込んでいるから、釘(１)の弾球(７)が衝突した際の衝撃を緩衝層(62)が和らげて、金属疲労の限界を遅らせることができ、釘(１)の寿命延長に一層効果的である。
【００３４】
尚、パネル(６)に打つ込む釘列の全ての釘に本発明の釘を用いることは必ずしも必要ではなく、弾球(７)が強く衝突し易い位置の釘だけに本発明を実施することで、当該釘の折損を抑えることができる。
【００３５】
図３は、釘(１)の第２実施例を示している。
抜止め部(５)も、図１の補強部(４)と同様にして、釘(１)の軸芯に沿う方向に延びる凸条(52)と凹条(53)を周方向に等間隔に交互に設けて形成されている。
【００３６】
図４は、釘(１)の第３実施例を示している。
補強部(４)も抜止め部(５)と同様にして、螺旋状に膨らみ条(43)を施して形成されている。
【００３７】
尚、図３、図４の実施例では、補強部(４)と抜止め部(５)との間は、断面円形の軸部(３)のままであるが、補強部(４)と抜止め部(５)を連続して形成することができる。
【００３８】
又、本発明の補強部(４)を具えた釘(１)は、抜止め部(５)の存在しない釘に対しても実施可能であるのは勿論である。
更に、本発明の釘(１)は、緩衝層(62)の存在しない従前の弾球遊技機パネル(６)に打設しても、折損を抑える効果を有するのは勿論である。
【００３９】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００４０】
例えば本発明は、パチンコ機のみならず、スマートボール等、釘列によって、弾球の通路を成する弾球遊技機に実施できる。
【図面の簡単な説明】
【００４１】
【図１】パネルに釘を打ち込んだ状態の断面図である。
【図２】図１Ａ−Ａ線に沿う断面図である。
【図３】パネルに第２実施例の釘を打ち込んだ状態の断面図である。
【図４】パネルに第３実施例の釘を打ち込んだ状態の断面図である。
【符号の説明】
【００４２】
１  釘
２  頭部
３  軸部
４  補強部
５  抜止め部
６  パネル
61  パネル本体
62  緩衝層
63  化粧シート
【図１】
2009247816.tif 000003
【図２】
2009247816.tif 000004
【図３】
2009247816.tif 000005
【図４】
2009247816.tif 000006